(57)【要約】【課題】  利便性に優れ、さらに既存の市販されている収納棚等に容易に設置することができる収納物落下防止装置を提供する。【解決手段】  揺動時において棚板等の棚部上に収納した物品の落下を防止する収納物落下防止装置であって、前記棚部の前方に取り付けられる取付部材と、この取付部材に取り付けられたロック手段と、前記取付部材に対して回動可能に取り付けられた落下防止部材とからなり、通常時は前記落下防止部材が前記棚部前方に壁立した状態で前記ロック手段によりロックされるが、前記棚部からの物品の出し入れ時には、前記ロック手段によるロックを解いて前記壁立状態を解除するように構成したことにより、前記課題を解決した。【選択図】        図１
2007097828.tif 000002
【特許請求の範囲】
【請求項１】
揺動時において棚板等の棚部上に収納した物品の落下を防止する収納物落下防止装置であって、
前記棚部の前方に取り付けられる取付部材と、この取付部材に取り付けられたロック部材と、前記取付部材に対して回動可能に取り付けられた落下防止部材とからなり、通常時は前記落下防止部材が前記棚部前方に壁立した状態で前記ロック部材によりロックされるが、前記棚部からの物品の出し入れ時には、前記ロック部材によるロックを解いて前記壁立状態を解除するように構成したことを特徴とする、収納物落下防止装置。
【請求項２】
前記ロック部材による壁立状態を解除された前記落下防止部材は、水平状態を維持するように前記取付部材に取り付けられていることを特徴とする、請求項１に記載の収納物落下防止装置。
【請求項３】
前記落下防止部材に、当該落下防止部材に対して前後方向にスライドするスライド板を設けたことを特徴とする、請求項１又は２に記載の収納物落下防止装置。
【請求項４】
前記取付部材が、前記棚部に取り付けられる取付部と、この取付部に前後方向にスライド可能に設けられ、前方に前記落下防止部材を回動可能に支持する回動支持部を有するスライド部とを備えたことを特徴とする、請求項１〜３のいずれか１項に記載の収納物落下防止装置。
【請求項５】
前記落下防止部材の両側部に、それぞれ幅方向にスライドするスライド部材を設けたことを特徴とする、請求項１〜４のいずれか１項に記載の収納物落下防止装置。
【請求項６】
前記取付部材が、両面粘着テープ又はクランプ等の固定手段により前記棚部に固定されることを特徴とする、請求項１〜５のいずれか１項に記載の収納物落下防止装置。
【請求項７】
前記請求項１〜６のいずれか１項に記載の収納物落下防止装置を備えたことを特徴とする、家具。
【発明の詳細な説明】
【技術分野】
【０００１】
本発明は、特に地震等による揺動時に、食器棚、本棚、薬品棚等の収納棚に収納されている物品が棚部からの落下するのを防止する収納物落下防止装置及びこの収納物落下防止装置を備えた家具に関するものである。
【背景技術】
【０００２】
食器棚、本棚、薬品棚等の収納棚の棚部に収納されている物品は、地震等の際に収納棚が揺れることにより収納棚が倒れなくとも棚板等の棚部から落下することがある。特に震度４を超える地震の場合には、この落下の恐れが非常に強くなる。そうすると、この落下物が人の身体に当たって危害を加える恐れがある上に、床上に散乱して避難時の足元を取られたり、破片や床上に壊れた物品で足をけがしたりして危険である。さらに高価な食器等の物品は落下によって破損してしまい経済的な損失にもなる。このため、落下防止装置を収納棚に設けて棚部からの物品の落下を防止する装置が提案されている（例えば、特許文献１参照。）。
【特許文献１】特開２００５−１３７６５１号公報
【発明の開示】
【発明が解決しようとする課題】
【０００３】
この特許文献１に記載されている収納物落下防止装置は、収納棚の前方に落下防止部材を落下防止位置と物品搬出入位置とに移動可能に設けてなるものである。その落下防止位置は物品を出し入れする収納部開口を横断して棚部からの物品の落下を防止する位置であり、物品搬出入位置は物品の出し入れの邪魔にならない位置である。ところで、落下防止部材は、金属棒で形成されていると共に、物品搬出入位置においては、例えば、棚板の前方に、棚板に近接して設けられているので、物品の出し入れの邪魔にならないが、他の役目を果たすことはなく利便性が悪い。さらに、既に市販されている食器棚（既存の食器棚）等に設置することができないという問題があった。
【０００４】
本発明は、前記課題を解決するためになされたものであって、その目的は、利便性に優れ、さらに既存の市販されている収納棚等に容易に設置することができる収納物落下防止装置を提供することにある。
【０００５】
前記の目的を達成するための本発明に係る収納物落下防止装置は、揺動時において棚板等の棚部上に収納した物品の落下を防止する収納物落下防止装置であって、前記棚部の前方に取り付けられる取付部材と、この取付部材に取り付けられたロック部材と、前記取付部材に対して回動可能に取り付けられた落下防止部材とからなり、通常時は前記落下防止部材が前記棚部前方に壁立した状態で前記ロック部材によりロックされるが、前記棚部からの物品の出し入れ時には、前記ロック部材によるロックを解いて前記壁立状態を解除するように構成したことを特徴とする。
【０００６】
本発明に係る収納物落下防止装置において、前記ロック部材による壁立状態を解除された前記落下防止部材は、水平状態を維持するように前記取付部材に取り付けられていることが好ましい。また、本発明に係る収納物落下防止装置において、前記落下防止部材に、当該落下防止部材に対して前後方向にスライドするスライド板を設けることが好ましい。また、本発明に係る収納物落下防止装置において、前記取付部材が、前記棚部に取り付けられる取付部と、この取付部に前後方向にスライド可能に設けられ、前方に前記落下防止部材を回動可能に支持する回動支持部を有するスライド部とを備えることが好ましい。また、本発明に係る収納物落下防止装置において、前記落下防止部材の両側部に、それぞれ幅方向にスライドするスライド部材を設けることが好ましい。また、本発明に係る収納物落下防止装置において、前記取付部材が、両面粘着テープ又はクランプ等の固定手段により前記棚部に固定されることが好ましい。
【０００７】
また、本発明に係る家具は、前記の本発明に係る収納物落下防止装置を備えたことを特徴とする。
【発明の効果】
【０００８】
以上説明したように、本発明に係る収納物落下防止装置によれば、落下防止部材は、通常時、棚部前方に壁立した状態でロックされると共に、棚部からの物品の出し入れ時には、ロック部材によるロックが解かれて壁立状態が解除され、水平状態が維持されて一時的に物品を載置することができ、かつ、取付部材が両面粘着テープ又はクランプ等の固定手段により棚部に固定されるので、使い勝手が良くなり利便性に優れ、さらに既存の市販されている収納棚等に容易に設置することができる。
【発明を実施するための最良の形態】
【０００９】
以下、本発明に係る収納物落下防止装置を添付図面に基づいて詳述する。
【００１０】
図１〜図６は本発明に係る収納物落下防止装置の一例を示す図である。本発明に係る収納物落下防止装置は、図１〜図６に示すように、揺動時において棚板等の棚部１１上に収納した物品１２の落下を防止するものである。この本発明に係る収納物落下防止装置１は、家具、例えば、食器棚、本棚、薬品棚などの収納棚等に設けられるものである。本発明の実施の形態においては、本発明に係る収納物落下防止装置１を収納棚としての食器棚の棚部１１に設けた場合ついて説明するが、これに限定されるものではない。
【００１１】
本発明に係る収納物落下防止装置１は、棚部１１の前方に取り付けられる取付部材３と、この取付部材３に取り付けられたロック部材５０と、取付部材３に対して回動可能に取り付けられた落下防止部材２とからなり、通常時は落下防止部材２が棚部１１前方に壁立した状態（この状態が落下防止位置である。）でロック部材５０によりロックされる（図１及び図３参照。）が、棚部１１からの物品１２の出し入れ時には、ロック部材５０によるロックを解いて壁立状態を解除して水平状態（この状態が物品搬出入位置である。）を維持する（図２参照。）ように構成したことに特徴がある。
【００１２】
取付部材３は、棚部１１に取り付けられる取付部３１と落下防止部材２を回動可能に支持する回動支持部４１とからなる。取付部３１は、特に限定されず、例えば、細長の略矩形平板状に形成されている。この取付部３１は、１つの部材で形成してもよいが、棚部１１に取り付けられる細長の略矩形平板状の第１取付部３２とこの第１取付部３２に対して幅方向にスライド可能に設けられた細長の略矩形平板状の第２取付部３３とからなることが好ましい。
【００１３】
第１取付部３２は、図１、図２、図４〜図７に示すように、例えば、透明の合成樹脂材料により細長の略矩形平板状に形成されている。この第１取付部３２の下面には、固定手段としての例えば両面粘着テープ（図示せず）が設けられており、第１取付部３２が棚部１１の前方に固定されるようになっている。第１取付部３２の上面は、凹状に形成されてスライド凹部３４として形成されている。このスライド凹部３４の前方となる長辺部が開口されている。スライド凹部３４の両端部には、下方に階段状に窪んだスライド係合溝３５がそれぞれ設けられている。また、スライド凹部３４の略中央部には、幅方向に延びる第１スライド案内溝３６ａが設けられている。また、スライド凹部３４の中央部と両端部との間の略中央部には、幅方向に延び、第１スライド案内溝３６ａより幅広の第２スライド案内溝３６ｂがそれぞれ設けられている。これら第２スライド案内溝３６ｂには、その長手方向に延びる長孔３７がそれぞれ設けられている。
【００１４】
第２取付部３３は、例えば、透明の合成樹脂材料により第１取付部３２のスライド凹部３４に嵌合され得る略矩形平板状に形成されている。第２取付部３３の両端部には、スライド凹部３４のスライド係合溝３５に係合し、下方に階段状に突出したスライド係合部３８がそれぞれ設けられている。第２取付部３３の下面の略中央部には、第１スライド案内溝３６ａに係合する第１スライド突部３９ａが設けられている。また、第２取付部３３の下面の中央部と両端部との間の略中央部には、第２スライド案内溝３６ｂに係合する第２スライド突部３９ｂがそれぞれ設けられている。これら第２スライド突部３９ｂの長孔３７上には、貫通孔４０がそれぞれ設けられている。これにより、第１取付部３２に対して第２取付部３３がその幅方向にスライド可能に係合し、第１取付部３２の長孔３７及び第２取付部３３の貫通孔４０に例えばネジ（図示せず）を挿通させてこのネジにボルト（図示せず）を螺合させることにより、長孔３７をネジが移動し得る範囲で第２取付部３３をスライドしうるようになっている。この第２取付部３３の前方側端部となる側端部に回動支持部４１が取り付けられている。
【００１５】
回動支持部４１は、図１〜図７に示すように、落下防止部材２を回動可能に支持できれば特に限定されず、例えば、第２取付部３３が取り付けられる連結部４２と、連結部４２の両端部に設けられている一対の回動突出部４３、４４とから略凹字状に形成されていることが好ましい。連結部４２は、例えば、第２取付部３３の長手方向の長さより長い寸法の矩形平板状に形成されていることが好ましい。一対の回動突出部４３、４４は、それぞれ略直方体状に形成されていることが好ましい。これら一対の回動突出部４３、４４の各対向面（第１面ということがある。）の下方には、落下防止部材２を回動可能に支持する回動支持孔４５がそれぞれ設けられている。また、一対の回動突出部４３、４４の第１面の上方であって取付部３１側の側端部には、落下防止部材２を取付部３１に対して略直交する方向に位置された状態から落下防止部材２の取付部側への回動を防止する回動防止部４６がそれぞれ設けられている。また、一方の回動突出部（第１回動突出部４３ということがる。）の上方には、ロック部材５０のロック突部５１が出没する出没孔４７が設けられている。
【００１６】
ロック部材５０は、例えば、透明の合成樹脂材料により形成され、出没孔４７から出没するロック突部５１と、ロック突部５１を出没孔４７から突出する方向に付勢する付勢部（図示せず）と、第１回動突出部４３の第１面と対向する面に設けられ、ロック突部５１を付勢部の付勢力に抗して出没孔４７内に没入させる操作部５２とから構成されていることが好ましい。ロック突部５１は、出没孔４７から突出したとき、この突出した先端部が前方側に傾斜され、落下防止部材２を物品搬出入位置から落下防止位置へと回動させたとき、落下防止部材２によって付勢部の付勢力に抗してロック突部５１が出没孔４７内に没入するようになっている。
【００１７】
落下防止部材２は、平板状に形成され、１つの部材で形成してもよいが、取付部に回動可能に取り付けられる第１落下防止板２１とこの第１落下防止板２１に対して幅方向（前後方向ということがある。）にスライド可能に設けられている第２落下防止板２２とからなることが好ましい。
【００１８】
第１落下防止板２１は、図１〜図６及び図８に示すように、例えば、透明の合成樹脂材料により略矩形平板状に形成された平板部２１ａとこの平板部２１ａの両側部にそれぞれ設けられた側板部２１ｂとから略Ｈ状に形成されていることが好ましい。第１落下防止板２１の側板部２１ｂの外表面間の長さは、例えば、取付部３１の一対の回動突出部４３、４４間の長さより若干短い寸法で形成されていることが好ましい。平板部２１ａの表裏面は、それぞれ平面状に形成してもよいし、図示するように幅方向に波状にそれぞれ形成してもよい。側板部２１ｂの外表面の下方には、回動突出部４３、４４の回動支持孔４５に係合して落下防止部材２を回動可能に支持する回動突部２３がそれぞれ設けられている。
【００１９】
平板部２１ａの裏面の略中央部の下方には一対の第１回動防止リブ２４が設けられていると共に、側板部２１ｂの裏面側の側端部の下方には第２回動防止リブ２５がそれぞれ設けられており、落下防止部材２を取付部に対して略平行に位置された状態から下方への回動が第１回動防止リブ２４及び第２回動防止リブ２５によって防止されるようになっている。すなわち、落下防止部材２は、取付部に対して略直交する壁立状態から略平行の平衡状態の略９０°の範囲で回動するように取付部３１に取り付けられている。
【００２０】
第１回動突出部４３と対向する第１落下防止板２１の側板部２１ｂには、ロック部材５０のロック突部５１が係合して落下防止部材２を壁立状態にロックするためのロック孔５３が設けられている。ロック部材５０とロック孔５３とによりロック手段５が構成され、このロック手段５により、落下防止部材２が壁立状態である落下防止位置にロックされるようになっている。なお、ロック手段５は、ロック部材５０とロック孔５３とにより構成されるが、これに限定されず、他の部材を用いて構成するようにしてもよい。
【００２１】
また、第１落下防止板２１の両側板部２１ｂの前面側端部の略中央部から上部までの箇所（第１落下防止板２１の回動の邪魔にならない箇所）には、第１落下防止板２１の幅方向に延びる側板２６がそれぞれ設けられている。これら側板２６は、第１落下防止板２１の表面より上方に位置され、第１落下防止板２１と両側板２６とにより略凹状に形成されている。また、第１落下防止板２１の両側板部２１ｂの裏面の略中央部から上部までの箇所（略側板２６が設けられている箇所）には、第１落下防止板２１の表面と略平行に延び、第２落下防止板２２をスライド移動可能にするスライド案内板２７がそれぞれ設けられている。これらスライド案内板２７の略上方には、切欠部２８が設けられている。
【００２２】
第２落下防止板２２は、図１〜図４及び図９に示すように、例えば、透明の合成樹脂材料により第１落下防止板２１の裏面の両側板部２１ｂ間に重ね合わされるように略矩形平板状であって幅方向に波状に形成されている。第２落下防止板２２の長さ（高さ方向の長さ）は、第１落下防止板２１の長さより短い寸法、例えば、第１落下防止板２１の先端部から第１回動防止リブ２４近傍までの長さで形成されていることが好ましい。第２落下防止板２２の幅は、第１落下防止板２１の両側板部２１ｂ間の長さより若干短い寸法で形成されていることが好ましい。これにより、第２落下防止板２２は、その両端部がスライド案内板２７と第１落下防止板２１の裏面との間に挿入されて第１落下防止板２１の裏面にその高さ方向にスライド可能すなわち摺動可能に取り付けられるようになっている。
【００２３】
第２落下防止板２２の両端部の下方近傍であってスライド案内板２７と対向する箇所には、裏面側に傾斜した可撓性の係合片２９がそれぞれ設けられている。これら係合片２９は、例えば、上部側が裏面から突出するように第２落下防止板２２の一部を切り欠いて折り曲げて形成されている。これら係合片２９がスライド案内板２７と接触して、第２落下防止板２２を第１落下防止板２１に対してスライドさせることができると共に、このスライドを止めたとき、係合片２９及び第２落下防止板２２と第１落下防止板２１との摩擦力によってその位置に第２落下防止板２２が位置決めされると共に、係合片２９がスライド案内板２７の切欠部２８に係合して第２落下防止板２２のこれ以上の第１落下防止板２１の前方へのスライドが防止されるようになっている。
【００２４】
また、第２落下防止板２２の前端部には、第１落下防止板２１側に略直交する方向に折り曲げられた当接片２２ａが設けられている。これにより、第２落下防止板２２は、重ね位置から突出位置までの間でスライド可能に第１落下防止板２１に取り付けられている。重ね位置は、当接片２２ａが第１落下防止板２１の前端部に当接している状態で第１落下防止板２１の裏面に重ね合わされた状態である。突出位置は、第１落下防止板２１に対して第２落下防止板２２を高さ方向の前方にスライドさせて係合片２９が切欠部２８に係合して第１落下防止板２１の先端部から第２落下防止板２２が突出した状態である。この突出位置におていは、係合片２９が切欠部２８に係合している状態であり、このとき係合片２９の先端が切欠部２８より前方のスライド案内板２７の端面と接触するので、第２落下防止板２２が第１落下防止板２１の先端部から抜け出ず、この突出位置に第２落下防止板２２が保持されるようになっている。
【００２５】
また、取付部と回動突出部との取り付けにおいては補強材を用いてもよい。例えば、図１０に示すように、第２取付部６２の幅（長手方向の長さ）が回動支持部４１の長手方向の長さと略同じ寸法で形成されている。この第２取付部６２の両側部が下方に略直角に折り曲げられてからさらに互いに対向する側に略直角に折り曲げられ、すなわち略コ字状になってスライド突部６３として形成されている。第１取付部６１は、その幅（長手方向の長さ）が第２取付部６２の幅と略同じ寸法で形成され、この両側端面にスライド突部６３がスライド可能に係合するスライド溝（図示せず）が設けられている。第２取付部３３の先端面は回動支持部４１の連結部４２に取り付けられていると共に、回動支持部４１の一対の回動突出部４３、４４の後面の上方と第２取付部６２の上面の後方側の２隅近傍とを斜めの補強材６５で連結して固定するようにしてもよい。これにより、取付部３１と回動支持部４１とが強固に取り付けられていることになる。
【００２６】
また、落下防止部材２の両側部に、それぞれ幅方向にスライドするスライド部材を設けるようにしてもよい。スライド部材としては、特に限定されず、例えば、図１１に示すように、棒状に形成されたものを用いてもよい。このスライド部材７１は、例えば、円筒状に形成され、この一端部にはスライド部材７１をスライド移動させるための掴み部７１ａが設けられていることが好ましい。スライド部材７１をスライド移動させる手段としては、特に限定されず、例えば、スライド部材７１の外径と略同じ内径の筒状のスライド案内部材（図示せず）を用いるようにしてもよい。このスライド案内部材を、例えば、第１落下防止板２１の裏面に幅方向に延びるように取り付け、このスライド案内部材にスライド部材７１を圧入挿入して、スライド部材７１を落下防止部材２の両側部から幅方向にそれぞれスライド移動、すなわち摺動させるようにしてもよい。このように、スライド部材７１は、スライド案内部材に摺動可能に挿入されてスライド案内部材に対してスライド移動できると共に、このスライドを止めたとき、スライド案内部材との摩擦力によってその位置に位置決めされるようになっている。また、スライド部材７１の個数は、特に限定されず、図示するように落下防止部材２の各側部に２個であることが好ましい。これにより、落下防止部材２の両側部からスライド部材７１をスライド移動させて突出させることで、棚板等の棚部１１上に収納した物品１２の落下をより防止することが可能となる。
【００２７】
なお、第１落下防止板２１に対する第２落下防止板２２の位置、第１取付部３２に対する第２取付部３３の位置、及びスライド部材７１の第１落下防止板２１に対する位置を任意の位置で位置決めする固定手段としては、圧入フリクション手段、弾性手段を作用させたフリクション手段、ネジ止め手段等の他に図１２に示したようなラチェット機構９０によってもよい。このラチェット機構９０としては、例えば、互いに摺動可能に組み合わせたいずれか一方の部材にラチェット歯９１を設け、他方の部材にこのラチェット歯９１と係合する係止爪９２を有する係止部材９３を設けてなる。この係止部材９３は、係止爪９２がラチェット歯９１と係合する方向に付勢されていると共に、ボタン（図示せず）の押しこみ操作等により係止爪９２をラチェット歯９１から離脱させるようになっていることが好ましい。
【００２８】
次に本発明に係る収納物落下防止装置１の作用を説明する。
【００２９】
まず、本発明に係る収納物落下防止装置１を図３に示すように本棚等の収納棚の棚部１１の上面の前方に取り付ける。この取り付けは、例えば、第１取付部３２の下面に設けられている両面粘着テープの粘着部を露出させ、この第１取付部３２の下面を棚部１１の上面の前方の所望の箇所に貼着させる。このとき、落下防止部材２が壁立状態である落下防止位置にロックされた状態で落下防止部材２を持ち、落下防止部材２の裏面が前面となって棚部１１の前方上方の収納部開口の一部を閉塞するように第１取付部３２の下面を棚部１１の上面に押し付けて行うことが好ましい。これにより、本発明に係る収納物落下防止装置１を、既に市販されている食器棚等の棚部１１に容易に設置することができる。
【００３０】
また、図１、図３、図４、図１０及び図１１に示すように、落下防止部材２が壁立状態である落下防止位置にロックされているために、棚部１１の前方上方の収納部開口の一部が落下防止部材２によって閉塞されるので、地震等により収納棚が揺れて棚部１１上に収納されている物品１２が棚部１１上から落下することが防止される。
【００３１】
このとき、第２落下防止板２２が重ね位置に位置されて第１落下防止板２１に重ね合わされているときには、第２落下防止板２２を第１落下防止板２１に対してスライドさせて突出位置に位置させる（図４及び図６参照。）。この突出位置におていは、係合片２９が切欠部２８に係合して第２落下防止板２２が突出位置に保持されて第１落下防止板２１から突出しているので、物品１２の棚部１１からの落下を確実に防止することができる。また、スライド部材７１を設けている場合には、落下防止部材２の両側部からスライド部材７１をスライド移動させて突出させる（図１１参照。）ことで、棚板等の棚部１１上に収納した物品１２の落下をより一層確実に防止することができる。
【００３２】
次に、落下防止位置に位置されている落下防止部材２を物品搬出入位置に移動させるには、ロック部材５０の操作部５２を操作してロック突部５１を付勢部の付勢力に抗して出没孔４７内に没入させる。これにより、ロック部材５０のロック突部５１と落下防止部材２のロック孔５３との係合状態が解除されて、落下防止部材２が前方側に回動可能になる。この落下防止部材２を回動させる。すなわち、落下防止部材２を前方に倒す。そして、落下防止部材２が略９０°回動すると、第１落下防止板２１の裏面の第１回動防止リブ２４と第２回動防止リブ２５が回動支持部４１の連結部４２に当接して落下防止部材２の回動が停止する。この落下防止部材２が停止した状態が物品搬出入位置である。
【００３３】
このとき、落下防止部材２は、取付部すなわち棚部１１に対して略平行に位置された状態である（図２及び図５（ｂ）参照。）ので、物品１２の出し入れの邪魔にならない。また、落下防止部材２は、棚部１１の前方にその水平方向に突出しているために、この落下防止部材２上に物品１２を一時的に載置しておくことができる。その結果、物品１２の出し入れを行うときに一時的に落下防止部材２上に物品１２を載置することができると共に、棚部１１に収納されている物品１２の整理等をするときに、その物品１２を載置することができるので、使い勝手が良く利便性が向上する。
【００３４】
また、取付部３１は第１取付部３２と第２取付部３３との２つの部材からなり、互いに幅方向にスライド可能に形成されているために、落下防止部材２の位置を前後方向に移動させて調節することができるので、より使い勝手が良く利便性が向上する。また、第２落下防止板２２が重ね位置に位置されているときには、第２落下防止板２２を第１落下防止板２１に対してスライドさせて突出位置に位置させることにより、物品１２を載置する面積が広くなるので、より一層使い勝手が良く利便性が向上する。
【００３５】
そして、物品１２の出し入れや物品１２の整理等が終了した場合には、落下防止部材２を取付部３１に対して起立するように回動させる。落下防止部材２が回動突出部４３、４４に近づくと、落下防止部材２の第１落下防止板２１の側板部２１ｂがロック部材５０のロック突部５１と接触してロック突部５１の先端部の傾斜に沿ってロック突部５１が付勢部の付勢力に抗して出没孔４７内に没入しつつ落下防止部材２が回動する。そして、ロック突部５１と対向する位置に第１落下防止板２１の側板部２１ｂのロック孔５３が位置されると、ロック突部５１が付勢部の付勢力によって出没孔４７から突出してロック孔５３内に進入して、落下防止部材２が落下防止位置にロックされる。
【００３６】
したがって、本発明に係る収納物落下防止装置１及び収納棚等の家具は、平板状の落下防止部材２が物品搬出入位置に位置されているときには、棚部１１の前方に略平行に延びているために、物品１２の出し入れや整理を行うとき等には一時的に落下防止部材２上に物品１２を載置することができるので、使い勝手が良くなり利便性に優れたものとなる。
【００３７】
また、第１落下防止板２１及び第２落下防止板２２が透明の合成樹脂材料により形成されていると、棚部１１上に収納されている物品１２を第１落下防止板２１及び第２落下防止板２２を介して目視することが可能となる。
【００３８】
なお、本発明の実施の形態においては、固定手段として両面粘着テープを用いて本発明に係る収納物落下防止装置を例えば収納棚の棚部１１の前方に固定する（取り付ける）ようにしてたが、固定手段として両面粘着テープに限定されるものではなく、他の手段、例えば、クランプや挟持により固定する金属棒等の固定冶具を用いて一対の回動突出部を棚部１１の前方に固定して本発明に係る収納物落下防止装置を取り付けるようにしてもよい。
【産業上の利用可能性】
【００３９】
以上説明したように本発明に係る収納物落下防止装置は、落下防止部材が、通常時、棚部前方に壁立した状態でロックされると共に、棚部からの物品の出し入れ時には、ロック手段によるロックが解かれて壁立状態が解除され、水平状態が維持されて一時的に物品を載置することができ、かつ、取付部材が両面粘着テープ又はクランプ等の固定手段により棚部に固定されるので、使い勝手が良くなり利便性に優れ、さらに既存の市販されている収納棚等に容易に設置することができることから、収容棚、特に食器棚、本棚、薬品棚等に最適なものである。
【図面の簡単な説明】
【００４０】
【図１】本発明に係る収納物落下防止装置の一例を示す斜視図である。
【図２】本発明に係る収納物落下防止装置の一例を示す斜視図である。
【図３】本発明に係る収納物落下防止装置の一例を示す斜視図である。
【図４】本発明に係る収納物落下防止装置の一例を示す斜視図である。
【図５】本発明に係る収納物落下防止装置の一例を示す側面図で、（ａ）は落下防止位置を示す図、（ｂ）は物品搬出入位置を示す図である。
【図６】本発明に係る収納物落下防止装置の一例を示す側面図である。
【図７】本発明に係る取付部材の一例を示す側面図で、（ａ）は第１取付部と第２取付部を重ね合わせた状態を示す図、（ｂ）は第１取付部に対して第２取付部を突出させた状態を示す図である。
【図８】本発明に係る第１落下防止板の一例を示す図で、（ａ）は背面図、（ｂ）は正面図、（ｃ）は側面図、（ｄ）は正面図、（ｅ）は裏面図である。
【図９】本発明に係る第２落下防止板の一例を示す図で、（ａ）は背面図、（ｂ）は正面図、（ｃ）は側面図、（ｄ）は正面図、（ｅ）は裏面図である。
【図１０】本発明に係る収納物落下防止装置の他の例を示す斜視図である。
【図１１】本発明に係る収納物落下防止装置の他の例を示す斜視図である。
【図１２】本発明に係るラチェット機構の一例を示す断面図である。
【符号の説明】
【００４１】
１  収納物落下防止装置
２  落下防止部材
３  取付部材
５  ロック手段
１１  棚部
１２  物品
２１  第１落下防止板
２２  第２落下防止板
３１  取付部
３２  第１取付部
３３  第２取付部
４１  回動支持部
【図１】
2007097828.tif 000003
【図２】
2007097828.tif 000004
【図３】
2007097828.tif 000005
【図４】
2007097828.tif 000006
【図５】
2007097828.tif 000007
【図６】
2007097828.tif 000008
【図７】
2007097828.tif 000009
【図８】
2007097828.tif 000010
【図９】
2007097828.tif 000011
【図１０】
2007097828.tif 000012
【図１１】
2007097828.tif 000013
【図１２】
2007097828.tif 000014